(57)【要約】【課題】防湿気密層を設けることなく内部での結露を防止するとともに、耐力を向上させる壁構造を提供する。【解決手段】壁構造１は、室外側から室内側に外壁３、外装下地材５、断熱材７、及び内装材９が順に並んで形成されている。外壁３と外装下地材５との間には通気層１１が形成されている。断熱材７は室外から室内に向かう方向に積層された複数のインシュレーションファイバーボード７ａによって形成されている。【選択図】  図１
2004238852.tif 000002
【特許請求の範囲】
【請求項１】
屋外から屋内に向かう方向に積層された複数のインシュレーションファイバーボードからなる断熱材を備えた壁構造。
【請求項２】
枠部と、該枠部内に配され、屋外から屋内に向かう方向に積層された複数のインシュレーションファイバーボードとからなる断熱材を備えた壁構造。
【請求項３】
枠部と、該枠部内に充填された木質繊維と、該木質繊維の屋外側の面と屋内側の面とに配されたインシュレーションファイバーボードとからなる断熱材を備えた壁構造。
【請求項４】
上記断熱材の屋外側の面に設けられた屋外側固定部材と、上記断熱材の屋内側の面に設けられた屋内側固定部材とを備えた請求項１〜３のいずれか１つに記載の壁構造。
【請求項５】
上記屋外側固定部材は、上記インシュレーションファイバーボードと同等以下の透湿抵抗を有する外装下地材によって構成されている請求項４記載の壁構造。
【発明の詳細な説明】
【０００１】
【発明の属する技術分野】
本発明は、壁構造に関する。
【０００２】
【従来の技術】
近年、省エネルギーのために、住宅の高断熱化・高気密化が図られている。そのため、例えば、住宅の壁構造は、屋外側から屋内側に外壁、外装下地材、繊維系断熱材や発泡系断熱材等の断熱材、内装下地材、内装仕上げ材が順に並んで形成されたものとなっている。
【０００３】
しかし、住宅の高断熱化・高気密化に伴い、壁の内部で結露が生じるおそれが生じた。つまり、外装下地材と内装材との間に温度差が生じることにより、室内から壁内へ侵入した湿気が凝結するのである。そこで、室内の湿気が壁内に侵入することを防ぐために、壁には防湿性を有する防湿気密層が設けられた（例えば、非特許文献１）。一般的に、防湿気密層は、内装下地材の屋外側の面に設けられることが多い。それにより、室内の湿気が壁内へ侵入することを防ぎ、壁内で結露が発生することを防止している。
【０００４】
【非特許文献１】
「平成１３年度版木造住宅工事共通仕様書（解説付）」，財団法人住
宅金融普及協会，ｐ．９２−１０２，１０６
【０００５】
【発明が解決しようとする課題】
しかし、この防湿気密層を設けるための施工の精度は施工業者間で個人差があり、これは結露防止の観点から好ましくない。
【０００６】
また、従来から、壁の耐力を向上させるために、柱等の間に筋交いが設けられたり、柱等に面材が張られているが、関西・淡路大震災の発生以降、住宅の強度に関する要求がさらに高まり、壁の耐力のさらなる向上が求められている。
【０００７】
また、壁に十分な断熱性を付与するために、壁に用いられる繊維系断熱材や発泡系断熱材等の断熱材は、例えば５０〜１００ｍｍ程度の厚さを有している。しかし、そのような厚さがあっても、壁の耐力の向上に寄与することはできなかった。
【０００８】
本発明は、かかる点に鑑みてなされたものであり、その目的とするところは、防湿気密層を設けることなく内部での結露を防止するとともに、耐力を向上させる壁構造を提供することにある。
【０００９】
【課題を解決するための手段】
本発明に係る壁構造は、屋外から屋内に向かう方向に積層された複数のインシュレーションファイバーボードからなる断熱材を備えたものである。
【００１０】
これにより、断熱材が透湿抵抗が小さいインシュレーションファイバーボードからなるため、壁構造の内部に湿気が侵入したとしても、その湿気を断熱材を介して屋外に排出することができる。したがって、本発明によれば、防湿気密層を設けることなく、壁構造の内部の結露を防止することができる。
【００１１】
また、断熱材が調湿性を有するインシュレーションファイバーボードからなるため、壁構造の内部に湿気が侵入したとしても、その湿気を断熱材内に蓄えることができる。したがって、本発明によれば、防湿気密層を設けることなく、壁構造の内部での結露を防止することができる。
【００１２】
また、断熱材が屋外から屋内に向かう方向に積層された複数のインシュレーションファイバーボードからなるため、断熱材としてグラスウールや発泡系断熱材を用いる場合と比較して、壁構造の耐力を向上させることができる。
【００１３】
また、断熱材が屋外から屋内に向かう方向に積層された複数のインシュレーションファイバーボードからなるため、上記断熱材と同程度の積層方向の厚さを有する断熱材を１つのインシュレーションファイバーボードで形成した場合と比較して、壁構造の耐力を向上させることができる。
【００１４】
本発明に係る壁構造は、枠部と、該枠部内に配され、屋外から屋内に向かう方向に積層された複数のインシュレーションファイバーボードとからなる断熱材を備えたものである。
【００１５】
これにより、断熱材が透湿抵抗が小さいインシュレーションファイバーボードからなるため、壁構造の内部に湿気が侵入したとしても、その湿気を断熱材を介して屋外に排出することができる。したがって、本発明によれば、防湿気密層を設けることなく、壁構造の内部の結露を防止することができる。
【００１６】
また、断熱材が調湿性を有するインシュレーションファイバーボードからなるため、壁構造の内部に湿気が侵入したとしても、その湿気を断熱材内に蓄えることができる。したがって、本発明によれば、防湿気密層を設けることなく、壁構造の内部での結露を防止することができる。
【００１７】
また、断熱材が屋外から屋内に向かう方向に積層された複数のインシュレーションファイバーボードからなるため、断熱材としてグラスウールや発泡系断熱材を用いる場合と比較して、壁構造の耐力を向上させることができる。
【００１８】
また、断熱材が屋外から屋内に向かう方向に積層された複数のインシュレーションファイバーボードからなるため、上記断熱材と同程度の積層方向の厚さを有する断熱材を１つのインシュレーションファイバーボードで形成した場合と比較して、壁構造の耐力を向上させることができる。
【００１９】
本発明に係る壁構造は、枠部と、該枠部内に充填された木質繊維と、該木質繊維の屋外側の面と屋内側の面とに配されたインシュレーションファイバーボードとからなる断熱材を備えたものである。
【００２０】
これにより、断熱材が透湿抵抗が小さい木質繊維及びインシュレーションファイバーボードからなるため、壁構造の内部に湿気が侵入したとしても、その湿気を断熱材を介して屋外に排出することができる。したがって、本発明によれば、防湿気密層を設けることなく、壁構造の内部の結露を防止することができる。
【００２１】
また、断熱材が調湿性を有する木質繊維及びインシュレーションファイバーボードからなるため、壁構造の内部に湿気が侵入したとしても、その湿気を断熱材内に蓄えることができる。したがって、本発明によれば、防湿気密層を設けることなく、壁構造の内部での結露を防止することができる。
【００２２】
また、断熱材が、木質繊維の屋外側の面と屋内側の面とに設けられたインシュレーションファイバーボードを有しているため、断熱材としてグラスウールや発泡系断熱材を用いる場合と比較して、壁構造の耐力を向上させることができる。
【００２３】
本発明に係る壁構造は更に、上記断熱材の屋外側の面に設けられた屋外側固定部材と、上記断熱材の屋内側の面に設けられた屋内側固定部材とを備えたものである。
【００２４】
これにより、屋外側固定部材及び屋内側固定部材で断熱材を挟むことにより、断熱材を固定することができる。
【００２５】
本発明に係る壁構造は更に、上記屋外側固定部材が、上記インシュレーションファイバーボードと同等以下の透湿抵抗を有する外装下地材によって構成されているものである。
【００２６】
これにより、屋外側固定部材がインシュレーションファイバーボードと同等以下の透湿抵抗を有する外装下地材によって構成されているため、壁構造の内部に湿気が侵入したとしても、その湿気を断熱材及び外装下地材を介して屋外に確実に排出することができる。したがって、本発明によれば、防湿気密層を設けることなく、壁構造の内部の結露をより確実に防止することができる。
【００２７】
【発明の効果】
本発明によれば、断熱材が透湿抵抗が小さいインシュレーションファイバーボードからなるため、壁構造の内部に湿気が侵入したとしても、その湿気を断熱材を介して屋外に排出することができる。したがって、防湿気密層を設けることなく、壁構造の内部の結露を防止することができる。
【００２８】
また、断熱材が調湿性を有するインシュレーションファイバーボードからなるため、壁構造の内部に湿気が侵入したとしても、その湿気を断熱材内に蓄えることができる。したがって、防湿気密層を設けることなく、壁構造の内部での結露を防止することができる。
【００２９】
また、断熱材が屋外から屋内に向かう方向に積層された複数のインシュレーションファイバーボードからなるため、断熱材としてグラスウールや発泡系断熱材を用いる場合と比較して、壁構造の耐力を向上させることができる。
【００３０】
また、断熱材が屋外から屋内に向かう方向に積層された複数のインシュレーションファイバーボードからなるため、上記断熱材と同程度の積層方向の厚さを有する断熱材を１つのインシュレーションファイバーボードで形成した場合と比較して、壁構造の耐力を向上させることができる。
【００３１】
【発明の実施の形態】
以下、本発明の実施形態を図面に基づいて詳細に説明する。
【００３２】
（実施形態１）
図１に示すように、住宅等の建物の壁構造１は、室外（屋外）側から室内（屋内）側に外壁３、外装下地材５、断熱材７、及び内装材９が順に並んで形成されている。
【００３３】
外壁３は、例えば、窯業系サイディング等で形成されている。サイディングとは、建物の外壁に用いられる耐水性及び耐天候性に富む板である。外壁３が窯業系サイディングで形成されている場合、外壁３は１２ｍｍ以上であることが好ましい。なお、外壁３の材料は、窯業系サイディングと同様の機能を有するものであれば、窯業系サイディング以外の如何なるものであってもよい。
【００３４】
外壁３と外装下地材５との間には、通気層１１が形成されている。通気層１１は、外壁３の室内側の面と外装下地材５の屋外側の面との間に胴縁や通気用金物等を介することにより形成される。通気層１１は、外装下地材５等を通過した湿気を屋外に排出するためのものである。通気層１１はその幅が１０ｍｍ以上であることが好ましく、１５ｍｍ以上であることがより好ましい。
【００３５】
外装下地材５は、柱２７・門柱等の縦軸材（図３参照）と土台１３・梁１５・桁等の横架材とからなる軸組材１２の屋外側の面に固定されている。外装下地材５は、透湿防水シート（例えば、デュポン（株）製、製品名タイベックシート）、インシュレーションファイバーボード、インシュレーションファイバーボードと同等以下の透湿抵抗を有するもの等で形成されている。なお、本発明に係る屋外側固定部材は外装下地材５に対応する。
【００３６】
外装下地材５が透湿防水シートのみで形成されている場合、断熱材７が膨らむことにより通気層１１がつぶれてしまうおそれがある。そこで、強度を有する面材を更に設けることにより、通気層１１がつぶれることを防止することができる。
【００３７】
外装下地材５が透湿防水シート、インシュレーションファイバーボード（１０ｍｍ以上）、インシュレーションファイバーボードと同等以下の透湿抵抗を有するもので形成されている場合、壁１内に侵入した湿気を屋外に排出しやすくなり、壁１内での結露を防止することができる。
【００３８】
なお、外装下地材５は、筋交いを用いた壁構造１にも適用することができる。
【００３９】
断熱材７は直方体状に形成され、軸組材１２の中空部１２ａに挿入されている。断熱材７は外壁３及び内装材９の間の熱の伝導を遮断するものである。
【００４０】
断熱材７は複数枚のインシュレーションファイバーボード（ＩＢ）７ａを重ね合わせたものによって形成されている。言い換えれば、断熱材７は室外から室内に向かう方向に積層された複数のインシュレーションファイバーボードによって形成されている。本実施形態では、断熱材７が９枚のインシュレーションファイバーボード７ａを重ね合わせたものによって形成されている。
【００４１】
断熱材７に用いられるインシュレーションファイバーボード７ａは、ＪＩＳ  Ａ  ５９０５で規定されているもののうち、インシュレーションファイバーボードに区分されたものである。インシュレーションファイバーボードは、繊維状の木材にバインダー等を添加したものを絡み合わせて、マット状に成形したものである。このようなインシュレーションファイバーボードとしては、例えば、タタミボード（例えば、大建工業（株）製、製品名ダイケンタタミボードＳＳ・製品名軽量タタミボード・製品名活性炭入りボードＳＸ）、Ａ級インシュレーションボード（例えば、大建工業（株）製、製品名アセダスＲ）、シージングボード（例えば、大建工業（株）製、製品名シージングボードＩＣ・製品名アセダスＤ）などが挙げられる。
【００４２】
インシュレーションファイバーボード７ａは高い透湿機能と高い調湿（蓄湿）機能とを有する。表１は、主な壁１構成材料の透湿抵抗の値を示したものである。
【００４３】
【表１】
2004238852.tif 000003
【００４４】
表１から明らかなように、インシュレーションファイバーボード７ａは、合板・防湿層付グラスウール・防湿材・発泡系断熱材などに比べて、透湿抵抗の値が小さい。
【００４５】
断熱材７に用いられるインシュレーションファイバーボード７ａは、その厚さが９ｍｍ、１０ｍｍ、１２ｍｍ、１５ｍｍ、１８ｍｍ、２０ｍｍ等のいずれであってもよい。本実施形態では、２０ｍｍのインシュレーションファイバーボード７ａが用いられている。
【００４６】
断熱材７の積層方向の厚さは４０ｍｍ以上である。また、断熱材７の積層方向の厚さは１００ｍｍ以上であることがより好ましい。断熱材７の積層方向の厚さは、以下の方法により決定されている。
【００４７】
表２は、主な断熱材の断熱性能（熱抵抗値）を示したものである。
【００４８】
【表２】
2004238852.tif 000004
【００４９】
表２から明らかなように、タタミボード・Ａ級インシュレーションボード・シージングボードを重ね合わせることにより断熱材７を形成している場合、その厚さが４０〜６５ｍｍのときに、新省エネルギー基準（ＩＶ地域）を満たす。具体的には、その厚さが４０〜６５ｍｍのときに、断熱材７の熱抵抗値が０．８〜１．２ｍ２・Ｋ／Ｗとなる。また、その厚さが１００〜１１５ｍｍのときに、次世代エネルギー基準（ＩＶ地域）を満たす。具体的には、その厚さが１００〜１１５ｍｍのときに、断熱材７の熱抵抗値が２．２ｍ２・Ｋ／Ｗとなる。このように、タタミボード・Ａ級インシュレーションボード・シージングボードを重ね合わせることにより断熱材７を形成している場合、その厚さが４０ｍｍ以上であれば、断熱材７は高性能グラスウール１６Ｋや押出法ポリスチレンフォーム３種等の他の断熱材と同様の熱抵抗値を有することになる。なお、「新省エネルギー基準」とは、「住宅の省エネルギー基準」  を平成４年に改定したものである。「次世代省エネルギー基準」とは、平成１１年に建設省・通商産業省から告示されたものである。「ＩＶ地域」とは、東京都・千葉県等を含む地域である。
断熱材７を構成している９枚のインシュレーションファイバーボード７ａは、互いに接着剤・両面テープ等で貼り合わされている。なお、断熱材７が透湿性を失わないように、各インシュレーションファイバーボード７ａは、他のインシュレーションファイバーボード７ａと対向する面の一部分に接着剤・両面テープ等等を塗布・貼付等している。各インシュレーションファイバーボード７ａをそれぞれ貼り合わせるために用いられる接着剤・両面テープとしては、ゴム系・アクリル系・シリコン系・ブチル系・アスファルト系の接着剤・両面テープ等が挙げられる。接着剤の樹脂としては、天然ゴム、合成イソプレンゴム、再生ゴム、アクリル酸エステル、スチレンアクリル酸エステル、スチレンブタジエン、エチレン酢酸ビニル、酢酸ビニル等が挙げられる。接着剤の粘着付与材としては、テルペン樹脂、脂肪族系石油樹脂等が挙げられる。
【００５０】
なお、各インシュレーションファイバーボード７ａは接着剤・両面テープ等によって貼り合わされていなくてもよい。このとき、何らかの手段で、各インシュレーションファイバーボード７ａの間に隙間が生じないように断熱材７を軸組材１２の中空部１２ａに固定する必要がある。
【００５１】
図１に示すように、断熱材７と内装材９との間には、水平方向に延びる複数の横胴縁１７が設けられている。横胴縁１７は柱２７等の縦軸材の室内側の面に釘等で固定されている。横胴縁１７は、例えば、その断面が１５×４５ｍｍ以上のものである。横胴縁１７は、例えば、互いに３００ｍｍの間隔をあけて縦軸材に取り付けられている。本発明に係る屋内側固定部材は横胴縁１７に対応する。
【００５２】
なお、断熱材７は、外装下地材５及び横胴縁１７で挟み込むことにより、軸組材１２の中空部１２ａに固定されている。
【００５３】
内装材９は天井部１９と床部２１との間に設けられ、横胴縁１７の室内側の面に固定されている。内装材９は、石膏ボード、珪酸カルシウム板等によって形成されている。内装材９が石膏ボードによって形成されている場合、石膏ボードはその厚さが９ｍｍ以上であることが好ましい。また、内装材９は、調湿性（吸放湿性）を有する内装下地材の室内側の表面にクロスを施したもの（例えば、大建工業（株）製、製品名エアスマイル）によって形成されてもよい。さらに、内装材９は、吸放湿性（調湿性）を有する内装下地材の室内側の表面に透湿塗装を施したもの（例えば、大建工業（株）製、製品名アートスマイル）や、呼吸建材（例えば、（株）ＩＮＡＸ製、製品名エコカラット）などによって形成されてもよい。
【００５４】
本実施形態によれば、断熱材７が透湿抵抗が小さいインシュレーションファイバーボード７ａによって形成されているため、壁構造１の内部に湿気が侵入したとしても、その湿気を断熱材７及びインシュレーションファイバーボードと同等以下の透湿抵抗を有する外装下地材５を介して屋外に確実に排出することができる。したがって、防湿気密層を設けることなく、壁構造１の内部の結露を確実に防止することができる。
【００５５】
また、断熱材７が調湿性を有するインシュレーションファイバーボード７ａによって形成されているため、壁構造１の内部に湿気が侵入したとしても、その湿気を断熱材７内に蓄えることができる。したがって、防湿気密層を設けることなく、壁構造１の内部の結露を防止することができる。
【００５６】
また、断熱材７が９枚のインシュレーションファイバーボード７ａを重ね合わせたものによって形成されているため、断熱材７としてグラスウールや発泡系断熱材を用いた場合と比較して、壁構造１の耐力を向上させることができる。例えば、建築基準法施工令第４６条第３項及び建築省告示第１１００号により定められた工法を用いて壁構造１を構成するとともに、断熱材７を９枚のインシュレーションファイバーボード７ａを重ね合わせたものによって形成することにより、壁倍率が０．１〜１．０ポイント上昇する。
【００５７】
また、断熱材７が９枚のインシュレーションファイバーボード７ａを重ね合わせたものによって形成されているため、上記断熱材７と同程度の積層方向の厚さを有する断熱材を１枚のインシュレーションファイバーボードで形成した場合と比較して、壁構造の耐力を向上させることができる。
【００５８】
また、断熱材７を９枚のインシュレーションファイバーボード７ａを重ね合わせたものによって形成することにより壁構造１の耐力が向上するため、面材・筋交い等を設けることなく、壁構造１の耐力を向上させることができる。
【００５９】
また、外装下地材５及び横胴縁１７で断熱材７を挟むことにより、断熱材７を軸組材１２の中空部１２ａに固定することができる。
【００６０】
また、断熱材７が発泡系断熱材より安価なインシュレーションファイバーボード７ａによって形成されているため、壁構造１の製造コストの低減を図ることができる。
【００６１】
また、断熱材７がインシュレーションファイバーボード７ａによって形成されているため、廃棄等の際に断熱材７を燃やしても、ダイオキシン等の有害ガスが発生しにくい。
【００６２】
また、断熱材７がインシュレーションファイバーボード７ａによって形成されているため、断熱材７をファイバーボード等の原料として再利用することができる。
【００６３】
（実施形態２）
図２に示すように、外壁３と断熱材７との間には、水平方向に延びる複数の横胴縁２３が設けられている。横胴縁２３は柱２７等の縦軸材の屋外側の面に釘等で固定されている。横胴縁２３は、例えば、その断面が１５×４５ｍｍ以上のものである。横胴縁２３は、例えば、互いに３００ｍｍの間隔をあけて縦軸材に取り付けられている。なお、本発明に係る屋外側固定部材は横胴縁２３に対応する。
【００６４】
外壁３と断熱材７との間には、通気層１１が形成されている。
【００６５】
なお、本実施形態に係る壁構造１には、外装下地材５が設けられていない。
【００６６】
断熱材７は、横胴縁１７及び横胴縁２３で挟み込むことにより、軸組材１２の中空部１２ａに固定されている。
【００６７】
その他の点に関しては、実施形態１の壁構造１とほぼ同様である。
【００６８】
（実施形態３）
図３に示すように、外壁３と断熱材７との間には、鉛直方向に延びる複数の縦胴縁２５が設けられている。縦胴縁２５は、柱２７等の縦軸材と断熱材７とに跨るように、縦軸材及び断熱材７に固定されている。縦胴縁２５は、例えば、その断面が１５×１００ｍｍ以上のものである。なお、本発明に係る屋外側固定部材は縦胴縁２５に対応する。
【００６９】
断熱材７は、８枚のインシュレーションファイバーボード７ａによって形成されている。
【００７０】
断熱材７は、横胴縁１７及び縦胴縁２５で挟み込むことにより、軸組材１２の中空部１２ａに固定されている。
【００７１】
その他の点に関しては、実施形態２の壁構造１とほぼ同様である。
【００７２】
（実施形態４）
図４及び図５に示すように、本実施形態に係る断熱材７は、９枚のインシュレーションファイバーボード７ａを重ね合わせたもの（図６参照）を枠７ｂ内に挿入したパネルにより構成されている。その他の点に関しては、実施形態１の壁構造１とほぼ同様である。
【００７３】
図７に示すように、枠７ｂは中空直方体状に形成されている。枠７ｂは熱抵抗が大きく（熱伝導率の小さく）、且つ、所定以上の強度を有するもの、例えば、木材・発泡樹脂等で形成されている。なお、枠７ｂは、壁構造１の断熱性の観点から、金属等の熱抵抗の小さい（熱伝導率の大きい）ものによって形成してはならない。
【００７４】
また、枠７ｂが大きすぎると壁１の熱抵抗が低下するため、住宅の断熱性が低下する。したがって、枠７ｂを構成している板の厚さは１００ｍｍ以下であることが好ましい。本実施形態では、枠７ｂを構成している板は、例えば、その厚さが５０ｍｍのものである。
【００７５】
図４に示すように、９枚のインシュレーションファイバーボード７ａを重ね合わせたものは、枠７ｂ内に接着剤等で固定されている。
【００７６】
なお、本実施形態では、図５に示すように、断熱材７が外装下地材５及び横胴縁１７で挟み込まれているが、実施形態２のように断熱材７が横胴縁１７及び横胴縁２３で挟み込まれてもよく、実施形態３のように横胴縁１７及び縦胴縁２５で挟み込まれてもよい。
【００７７】
また、本実施形態では、図７に示すように、枠７ｂが中空直方体状に形成されているが、図８に示すように、枠７ｂ内に鉛直方向に延びる長方形状の板７ｃをさらに設けたものであってもよい。このとき、枠７ｂの形状に合わせて、インシュレーションファイバーボード７ａを重ね合わせたものの形状も変更する。
【００７８】
（実施形態５）
図９に示すように、本実施形態に係る断熱材７は、２枚のインシュレーションファイバーボード７ａを枠７ｂの両面に各々貼り合わせ、内部の空間に木質繊維７ｄを充填することにより構成されている。その他の点に関しては、実施形態４の壁構造１とほぼ同様である。
【００７９】
木質繊維７ｄは、インシュレーションファイバーボードの主原料である木質繊維を粉体のまま用いるものであるが、セルロースファイバー等の吸放湿性を有する繊維状物で代用することもできる。
【００８０】
（実施形態６）
図１０〜図１２に示すように、本実施形態の軸組材１２の内周面の室内側には、受材３１が設けられている。その他の点に関しては、実施形態１の壁構造１とほぼ同様である。
【００８１】
受材３１は、例えば、その断面が２０ｍｍ×２０ｍｍ〜８０ｍｍ×８０ｍｍ程度のものである。
【００８２】
インシュレーションファイバーボード７ａを重ね合わせたものを軸組材１２の中空部１２ａに固定することができる限り、受材３１は軸組材１２の内周面のいずれの部分に設けてもよい。例えば、図１０に示すように、軸組材１２の内周面の水平部分（土台１３・梁１５等の横架材の内周面）のみ、軸組材１２の内周面の鉛直部分（柱２７等の縦軸材の内周面）のみ、あるいは軸組材１２の内周面の全体に、受材３１を設けることが考えられる。
【００８３】
受材３１は軸組材１２の内周面に釘等で固定されている。
【００８４】
断熱材７は、６枚のインシュレーションファイバーボード７ａによって形成されている（図１１及び図１２参照）。
【００８５】
本実施形態では、インシュレーションファイバーボード７ａの寸法（幅・高さの寸法）は、中空部１２ａの寸法より１〜５ｍｍ程度大きい。ここで、インシュレーションファイバーボード７ａは弾性を有するため、インシュレーションファイバーボード７ａの固定時にインシュレーションファイバーボード７ａを押さえ付けること等により、インシュレーションファイバーボード７ａを軸組材１２の中空部１２ａに隙間なく挿入することができる。
【００８６】
断熱材７を軸組材１２の中空部１２ａに固定する方法は、以下のようなものが挙げられる。
【００８７】
断熱材７を受材３１に当たるまで軸組材１２の中空部１２ａに挿入した後、断熱材７を受材３１に対して押さえ付けることにより、断熱材７を軸組材１２の中空部１２ａに固定する。
【００８８】
また、断熱材７を受材３１に当たるまで中空部１２ａに挿入した後、断熱材７を金物で柱２７に固定することにより、断熱材７を中空部１２ａに固定してもよい。
【００８９】
また、図１１に示すように、断熱材７を受材３１に当たるまで中空部１２ａに挿入し、外装下地材５を軸組材１２の屋外側の面に固定した後、外装下地材５の屋外側の面から釘３３等を受材３１に打ち込むことにより、断熱材７を中空部１２ａに固定してもよい。
【００９０】
また、図１２に示すように、断熱材７を受材３１に当たるまで中空部１２ａに挿入し、釘３３等を断熱材７を介して受材３１に打ち込んだ後、外装下地材５を軸組材１２の屋外側の面に固定することにより、断熱材７を中空部１２ａに固定してもよい。
【００９１】
また、図１２に示すように、断熱材７を受材３１に当たるまで中空部１２ａに挿入し、梁１５等の横架材及び断熱材７に跨る固定具３５を横架材及び断熱材７に打ち込んだ後、外装下地材５を軸組材１２の屋外側の面に固定することにより、断熱材７を中空部１２ａに固定してもよい。図１２及び図１３に示すように、固定具３５は長方形状の板と、２本の釘等によって構成されている。板の上部及び下部にはそれぞれ貫通孔が形成され、その貫通孔にそれぞれ釘が通されている。
【００９２】
なお、外装下地材５を設けない場合には、実施形態２のように横胴縁２３を柱２７等の縦軸材に固定することにより、あるいは、実施形態３のように縦胴縁２５を柱２７等の縦軸材と断熱材７とに跨るように固定することにより、断熱材７を軸組材１２の中空部１２ａに固定することもできる。
【００９３】
（実施形態７）
図１６に示すように、本実施形態に係る壁構造１は、柱２７，２７間に間柱２８が設けられ、断熱材７が柱２７と間柱２８との間の中空部１２ａに挿入されたものである。その他の点に関しては、実施形態１の壁構造１とほぼ同様である。
【００９４】
断熱材７は、９枚のインシュレーションファイバーボード７ａによって形成されている。
【００９５】
断熱材７は、以下の方法により軸組材１２の中空部１２ａに固定されている。まず、断熱材７を中空部１２ａに挿入し、柱２７及び断熱材７に跨る第１固定具３５ａを柱２７及び断熱材７に打ち込み、且つ、断熱材７、間柱２８、及び断熱材７に跨る第２固定具３５ｂを断熱材７、間柱２８、及び断熱材７に打ち込む。その後、外装下地材５を軸組材１２の屋外側の面に固定する。
【００９６】
第１固定具３５ａは長方形状の板と、２本の釘等によって構成されている。板の上部及び下部にはそれぞれ貫通孔が形成され、その貫通孔にそれぞれ釘が通されている。
【００９７】
第２固定具３５ｂは長方形状の板と、３本の釘等によって構成されている。板の上部、中部及び下部にはそれぞれ貫通孔が形成され、その貫通孔にそれぞれ釘が通されている。
【００９８】
本実施形態では、インシュレーションファイバーボード７ａの寸法は中空部１２ａの寸法より１〜５ｍｍ程度大きい。ここで、インシュレーションファイバーボード７ａは弾性を有するため、インシュレーションファイバーボード７ａの固定時にインシュレーションファイバーボード７ａを押さえ付けることにより、インシュレーションファイバーボード７ａを軸組材１２の中空部１２ａに隙間なく挿入することができる。
【００９９】
（実施形態８）
図１４に示すように、柱２７の内周面の屋外側には、鉛直方向に延びる切り欠き部２７ａが形成されている。その他の点に関しては、実施形態３の壁構造１とほぼ同様である。
【０１００】
切り欠き部２７ａは、例えば、その幅が１０〜３０ｍｍのものである。また、柱２７の内周面の屋外側に切り欠き部２７ａを形成したことにより、柱２７の内周面の屋内側には段差部２７ｂが生じている。
【０１０１】
断熱材７は、７枚のインシュレーションファイバーボード７ａによって形成されている。
【０１０２】
断熱材７は、切り欠き部２７ａ，２７ａの間に挿入されている。
【０１０３】
断熱材７は、縦胴縁２５及び段差部２７ｂで挟み込むことにより、軸組材１２の中空部１２ａに固定されている。
【０１０４】
（実施形態９）
図１５に示すように、本実施形態に係る壁構造１は、柱２７が室内に剥き出しになった真壁で構成されている。
【０１０５】
柱２７の内周面には、鉛直方向に延びる受材３１が設けられている。受材３１は、例えば、その断面が２０ｍｍ×２０ｍｍ〜８０ｍｍ×８０ｍｍのものである。
【０１０６】
内装材９は柱２７，２７間に設けられ、受材３１に固定されている。
【０１０７】
断熱材７は、外装下地材５及び内装材９で挟み込むことにより、軸組材１２の中空部１２ａに固定されている。
【０１０８】
なお、本実施形態に係る壁構造１には外装下地材５が設けられているが、外装下地材を設けなくてもよい。このとき、外装下地材５の代わりに、横胴縁１７又は縦胴縁２５が設けられる。そして、横胴縁１７が設けられたとき、断熱材７は横胴縁１７及び内装材９で挟み込まれる。また、縦胴縁２５が設けられたとき、断熱材７は縦胴縁２５及び内装材９で挟み込まれる。
【図面の簡単な説明】
【図１】実施形態に係る壁構造の縦断面図である。
【図２】実施形態に係る壁構造の縦断面図である。
【図３】実施形態に係る壁構造の横断面図である。
【図４】実施形態に係るパネルの斜視図である。
【図５】実施形態に係る壁構造の縦断面図である。
【図６】実施形態に係るインシュレーションファイバーボードの斜視図である。
【図７】実施形態に係る枠の斜視図である。
【図８】枠の変形例の斜視図である。
【図９】実施形態に係るパネルの斜視図である。
【図１０】実施形態に係る梁・土台・柱の正面図である。
【図１１】実施形態に係る壁構造の縦断面図である。
【図１２】実施形態に係る壁構造の縦断面図である。
【図１３】実施形態に係る固定具の正面図である。
【図１４】実施形態に係る壁構造の横断面図である。
【図１５】実施形態に係る壁構造の横断面図である。
【図１６】実施形態に係る壁構造の横断面図である。
【符号の説明】
１      壁構造
３      外壁
５      外装下地材（屋外側固定部材）
７      断熱材
１１    通気層
１３    土台
１５    梁
２７    柱
【図１】
2004238852.tif 000005
【図２】
2004238852.tif 000006
【図３】
2004238852.tif 000007
【図４】
2004238852.tif 000008
【図５】
2004238852.tif 000009
【図６】
2004238852.tif 000010
【図７】
2004238852.tif 000011
【図８】
2004238852.tif 000012
【図９】
2004238852.tif 000013
【図１０】
2004238852.tif 000014
【図１１】
2004238852.tif 000015
【図１２】
2004238852.tif 000016
【図１３】
2004238852.tif 000017
【図１４】
2004238852.tif 000018
【図１５】
2004238852.tif 000019
【図１６】
2004238852.tif 000020